(57)【特許請求の範囲】
【請求項１】
床暖房パネルの複数本の温水配管と床下の主配管とを接続した床暖房配管接続構造において、
床に設置されたベースプレートと、
該ベースプレート及び該床を貫通して床下に通じた開口と、
該開口内に配置された分岐ヘッダーとを備えてなり、
該分岐ヘッダーとして、往き側主配管及び往き側温水配管が接続された往き側分岐ヘッダーと、戻り側主配管及び戻り側温水配管が接続された戻り側分岐ヘッダーとが設置され、
該開口がカバープレートで閉鎖され、
該ベースプレートには、該開口から該ベースプレートの一辺部にまで凹部が設けられ、該温水配管が該凹部内に引き通されており、
該分岐ヘッダーは、本体部と、該本体部の下面から突出された主配管接続ノズルと、該本体部の上面から上方に突設された複数個の凸部と、各凸部の側面から突設された温水配管接続ノズルとを備えていることを特徴とする床暖房配管接続構造。
【請求項２】
請求項１において、往き側分岐ヘッダーと戻り側分岐ヘッダーとは、各々の前記本体部を平行にして配置されており、
一方の分岐ヘッダーの温水配管接続ノズルが、他方の分岐ヘッダーの本体部の上側かつ前記凸部同士の間又は該凸部の脇を通っていることを特徴とする床暖房配管接続構造。
【発明の詳細な説明】
【技術分野】
【０００１】
本発明は、床暖房パネルの温水配管と床下の主配管とを分岐ヘッダーを介して接続した構造に関するものである。
【背景技術】
【０００２】
床暖房パネルとして、上面に配管引き回し用の溝を有した基板の該溝に温水配管を引き回したものが広く用いられている。広い面積の床暖房を行うための床暖房パネルには、温水配管は複数本（複数回路）設けられている。
【０００３】
このように複数回路の温水配管を備えた床暖房パネルに対しては、ボイラ等からの温水が往き側主配管から分岐ヘッダーを介して各温水配管に供給される。各温水配管を流れる間に温水は降温し、戻り側温水配管の末端から分岐ヘッダー及び戻り側主配管を介してボイラ等に戻り、再度加熱されて往き側主配管に送り出される。
【０００４】
床下に配設された主配管とこの床暖房パネルの温水配管とを接続するには、特許文献１，２のように、床上に分岐ヘッダーを配置し、温水配管及び主配管を分岐ヘッダーに接続するようにしている。
【０００５】
特許文献１では、分岐ヘッダーから下方に突設された脚管（パイプ差込部材）が床の孔を通って床下に突出しており、主配管が床下にて該脚管に接続される。
【０００６】
特許文献２では、分岐ヘッダーからフレキ管よりなる主配管接続用の管が延設されており、このフレキ管が床の孔を通って床下に引き回され、床下にて主配管と接続される。
【先行技術文献】
【特許文献】
【０００７】
【特許文献１】特開２００５−２８２９３１
【特許文献２】特開２００４−３３２９５７
【発明の概要】
【発明が解決しようとする課題】
【０００８】
上記特許文献１，２では、分岐ヘッダーが床上に配置されているので、分岐ヘッダーの厚み分だけ分岐ヘッダーが床から出っ張ることになる。
【０００９】
本発明は、分岐ヘッダーの床からの出っ張りを小さくすることができる床暖房配管接続構造を提供することを目的とする。
【００１０】
また、本発明は、その一態様において、床に設ける開口が小さくて足りる床暖房配管接続構造を提供することを目的とする。
【課題を解決するための手段】
【００１１】
請求項１の床暖房配管接続構造は、床暖房パネルの複数本の温水配管と床下の主配管とを接続した床暖房配管接続構造において、床に設置されたベースプレートと、該ベースプレート及び該床を貫通して床下に通じた開口と、該開口内に配置された分岐ヘッダーとを備えてなり、該分岐ヘッダーとして、往き側主配管及び往き側温水配管が接続された往き側分岐ヘッダーと、戻り側主配管及び戻り側温水配管が接続された戻り側分岐ヘッダーとが設置され、該開口がカバープレートで閉鎖され、該ベースプレートには、該開口から該ベースプレートの一辺部にまで凹部が設けられ、該温水配管が該凹部内に引き通されており、該分岐ヘッダーは、本体部と、該本体部の下面から突出された主配管接続ノズルと、該本体部の上面から上方に突設された複数個の凸部と、各凸部の側面から突設された温水配管接続ノズルとを備えていることを特徴とするものである。
【００１４】
請求項２の床暖房配管接続構造は、請求項１において、往き側分岐ヘッダーと戻り側分岐ヘッダーとは、各々の前記本体部を平行にして配置されており、一方の分岐ヘッダーの温水配管接続ノズルが、他方の分岐ヘッダーの本体部の上側かつ前記凸部同士の間又は該凸部の脇を通っていることを特徴とするものである。
【発明の効果】
【００１５】
本発明の床暖房配管接続構造にあっては、床暖房パネルの温水配管と床下の主配管とを接続する分岐ヘッダーが、ベースプレート及び床を貫く開口内に配置されているので、該分岐ヘッダーの床からの出っ張りが小さい。
【００１６】
本発明において、分岐ヘッダーの本体部を平行にして配置し、一方の分岐ヘッダーの温水配管接続ノズルが他方の分岐ヘッダーの上側かつ凸部同士の間又は凸部の脇を通る構成とすることにより、分岐ヘッダー同士を近接させてコンパクトに配置することができる。このため、床の開口を小さくしても各分岐ヘッダーを該開口内に納めることができる。
【図面の簡単な説明】
【００１７】
【図１】ベースプレートの斜視図である。
【図２】図１のII−II線断面図である。
【図３】図１のIII−III線断面図である。
【図４】ベースプレート及び床を示す斜視図である。
【図５】配管の接続方法を説明する斜視図である。
【図６】配管の接続方法を説明する斜視図である。
【図７】配管の接続方法を説明する斜視図である。
【図８】床暖房パネルの平面図である。
【図９】別の実施の形態に用いられるベースプレートの平面図である。
【図１０】図９のベースプレートの斜視図である。
【図１１】図９のXI−XI線矢視図である。
【図１２】図９のXII−XII線断面図である。
【図１３】図９のXIII−XIII線断面図である。
【図１４】図９のXIV−XIV線矢視図である。
【図１５】図９のXV−XV線断面図である。
【図１６】図９のXVI−XVI線断面図である。
【図１７】図９のXVII−XVII線断面図である。
【図１８】図９のベースプレートに分岐ヘッダー及び温水配管を装着した状態を示す斜視図である。
【発明を実施するための形態】
【００１８】
第１図〜第８図を参照して第１の実施の形態について説明する。
【００１９】
この床暖房配管接続構造を用いた床暖房システムにあっては、ボイラ（図示略）からの温水を往き側主配管（図示略）及び分岐ヘッダー４Ｂ（第６図）を介して床暖房パネル１０の温水配管１４の往き側に供給し、温水配管１４の戻り側からの降温した温水を分岐ヘッダー４Ａ及び戻り側主配管（図示略）を介してボイラに戻し、再び加熱して循環させるよう構成している。まず、第８図を参照して床暖房パネル１０について説明する。
【００２０】
［床暖房パネルの説明］
この床暖房パネル１０は、複数枚の略長方形の基板１１と、複数本の小根太１２とが、各々の長手方向を平行方向として交互に配列され、各基板１１の上面に形成された配管配設用の溝内に温水配管１４が引き回された構成となっている。基板１１の上面には、温水配管１４を収容した溝を塞ぐように均熱シート（図示略）が貼り付けられている。この均熱シートは、各基板１１及び各小根太１２の上面に連続して貼り付けられている。
【００２１】
この実施の形態では、各小根太１２の長手方向の途中部に、隣り合う基板１１，１１同士を連結する連結スペース（符号略）が形成されており、温水配管１４はこの連結スペースを通って隣り合う一方の基板１１から他方の基板１１に連続して引き回されている。この実施の形態では、第８図の右下部の基板１１（１１Ａ）を除く各基板１１の上面にそれぞれ４条の溝が延設されている。右下の基板１１Ａには６条の溝が延設されている。
【００２２】
即ち、この床暖房パネル１０は、全体として３本の温水配管１４が引き回され、３回路の温水循環配管構成となっている。右下部の基板１１Ａには３回路の温水配管の往き側と戻り側とが引き回されるので、合計６条（２×３＝６）の溝が設けられ、３回路の温水配管１４が引き回されている。その他の基板には、それぞれ２回路すなわち４条の溝が設けられている。
【００２３】
第８図の右下部の基板１１Ａのコーナー部に切欠状部１５が設けられ、この切欠状部１５内にベースプレート１が配置されている。第３図の通り、建物の部屋の床２に一辺が約２ｃｍ〜８ｃｍ程度（開口面積４ｃｍ２〜６４ｃｍ２程度）の床開口３が設けられ、この床開口３付近の床２上にベースプレート１が設置されている。後に詳述する通り、このベースプレート１の開口１ａ内に分岐ヘッダー４Ａ，４Ｂが配置され、各分岐ヘッダー４Ａ，４Ｂのノズル４ｄに各温水配管１４の末端が接続されている。
【００２４】
［ベースプレート１の説明］
第１図〜第３図に示す通り、このベースプレート１は、方形の略平盤状であり、中央に開口１ａが設けられている。この開口１ａからベースプレート１の一辺部にかけて凹部１ｂが延設されている。該一辺部に沿う側端面１ｅは順傾斜の傾斜面となっている。この側端面１ｅの上縁は、上方に突出した段差部１ｄとなっている。このベースプレート１の両側辺部には、ビス挿通孔１ｃが設けられている。ベースプレート１の下面には、開口１ａの周縁から下方に囲壁部１ｆが突設されている。この囲壁部１ｆは、開口１ａを周回している。この囲壁部１ｆは、床開口３に嵌合する大きさ及び形状を有している。
【００２５】
［分岐ヘッダーの説明］
この実施の形態では、同一形状の２個の分岐ヘッダー４Ａ，４Ｂを用いる。第５，６図の通り、各分岐ヘッダー４Ａ，４Ｂは、ヘッダー本体４ａと、該ヘッダー本体４ａの下面から下方に突設された主配管接続ノズル４ｂと、ヘッダー本体４ａの上面から上方に突設された複数個（この実施の形態では３個）の凸部４ｃと、各凸部４ｃから前方に突設されたノズル４ｄとを備えている。
【００２６】
［温水配管１４と主配管との接続手順］
建物の床に設置された床暖房パネル１０の３回路の温水配管１４の各々の末端と床下の主配管とを接続するには、ベースプレート１の囲壁部１ｆを床２の床開口３に嵌合させてベースプレート１を床２上に配置する。次いで６本の温水配管１４をベースプレート１の凹部１ｂを通して開口１ａにまで延在させる。次いで、第５図のように、各温水配管１４のうち循環往き側の温水配管１４の先端位置を揃えるように、また、循環戻り側の温水配管１４の先端位置を揃えるように切り揃える。
【００２７】
この説明では、循環往き側の先端を循環戻り側の温水配管１４の先端よりも開口１ａ内に長く突出させる。ただし、逆に循環戻り側の温水配管１４の先端を循環往き側の温水配管１４の先端よりも開口１ａ内に長く突出させてもよい。この先端同士の長さの差は、分岐ヘッダー４Ａの本体部４ａの厚みｄ以上であり、好ましくはｄプラス０．５〜１２ｍｍ特にｄプラス１〜５ｍｍ程度である。
【００２８】
次いで、短く切り揃えた循環戻り側の３本の温水配管１４に分岐ヘッダー４Ａの各ノズル４ｄを接続する。この接続作業終了後に、長く切り揃えた循環往き側の３本の温水配管１４に分岐ヘッダー４Ｂの各ノズル４ｄを接続する。循環往き側の分岐ヘッダー４Ｂのノズル４ｄ及びそれに接続された温水配管１４は、分岐ヘッダー４Ａの凸部４ｃ同士の間又は凸部４ｃの脇を通るように配置される。これにより、分岐ヘッダー４Ａ，４Ｂ同士を近接させてコンパクトに配置し、小さな開口１ａ内に納めることが可能となる。
【００２９】
次いで、各分岐ヘッダー４Ａ，４Ｂの主配管接続ノズル４ｂにそれぞれ主配管を接続する。なお、温水配管及び主配管をノズルに接続するには、各配管をノズルに差し込み、結束バンドで締め付けるのが好ましいが、これに限定されない。
【００３０】
その後、第７図の通り、ベースプレート１にカバープレート５を被せ、ビス６をカバープレート５及びベースプレート１のビス挿通孔１ｃを通して床２にねじ込み、ベースプレート１及びカバープレート５を床２に固定する。なお、カバープレート５の一辺を段差部１ｄに沿わせて配置する。この実施の形態では、カバープレート５の厚みは段差部１ｄの高さと等しくなっており、段差部１ｄからカバープレート５が上方に突出しないようにしている。
【００３１】
第６図のように、分岐ヘッダー４Ａ，４Ｂが開口１ａ内に配置されているので、ベースプレート１の厚みが小さくて足りる。また、分岐ヘッダー４Ａ，４Ｂをコンパクトに近接配置しているので、開口１ａが小さくて足りる。
【００３２】
第９図〜第１８図を参照して別の実施の形態に係る床暖房配管接続構造で用いられるベースプレートについて説明する。
【００３３】
このベースプレート２０は、方形の略平盤状であり、中央に開口２１が設けられている。この開口２１からベースプレート２０の一辺部にかけて凹部（この実施の形態ではスリット２２）が複数本（この実施の形態では６本）延設されている。なお、ベースプレート２０の一半側は他半側よりも一段低い低所２０ａとなっており、他半側は高所２０ｂとなっている。開口２１は該低所２０ａに設けられており、スリット２２は高所２０ｂに設けられている。低所２０ａの両側辺にビス挿通孔２３が設けられている。開口２１のスリット２２側には、スリット２２側ほど上位となる傾斜面２１ａが設けられている。
【００３４】
ベースプレート２０の下面には、開口２１の周縁から下方に囲壁部２４が設けられている。この囲壁部２４の外周面は、１対の平行面２４ａ，２４ａを除いて円筒面となっており、床２（第１８図）に設けられた床開口（第１８図では図示略）が円形であっても差し込み易いものとなっている。
【００３５】
このベースプレート２０を用いて床下の主配管と床上の温水配管とを接続するには、ベースプレート２０の囲壁部２４を床２の開口に落し込むようにしてベースプレート２０を設置する。次いで、第１８図の通り、スリット２２に温水配管１４を引き通し、各配管１４の先端を循環往き側と循環戻り側とでそれぞれ規定位置に揃うように切り揃える。次いで、第１０図の場合と同じく、長さを短く切り揃えた循環戻り側の３本の温水配管１４に分岐ヘッダー４Ａのノズル４ｄを接続し、次いで長く切り揃えた温水配管１４に分岐ヘッダー４Ｂのノズル４ｄを接続する。その後、ベースプレートの低所２０ａにカバープレート５（第１８図では図示略）を被せ、ビスをカバープレート及びベースプレート２０のビス挿通孔２３を通して床２にねじ込み、カバープレート及びベースプレート２０を床２に固定する。
【００３６】
この実施の形態でも、分岐ヘッダー４Ａ，４Ｂがベースプレート２０の開口２１内に配置されているので、ベースプレート２０の厚みが小さくて足りる。
【００３７】
また、この実施の形態でも、分岐ヘッダー４Ｂのノズル４ｄ及びそれに接続された温水配管１４を、分岐ヘッダー４Ａの凸部４ｃ同士の間又は凸部４ｃの脇を通すようにしているので、分岐ヘッダー４Ａ，４Ｂをコンパクトに組み合わせて小さい開口２１内に配置することができる。
【００３８】
本発明は、厚さが５ｍｍ〜９ｍｍ例えば５．５ｍｍと薄形であり、２回路（２本）以上（例えば２〜１０回路）の温水配管を備えた大面積の床暖房パネルを主配管に接続する場合に好適である。
【００３９】
上記実施の形態はいずれも本発明の一例である。本発明は上記以外の形態とされてもよい。
【符号の説明】
【００４０】
１，２０  ベースプレート
１ａ，２１  開口
１ｂ  凹部
１ｄ  段差部
２  床
３  床開口
４Ａ，４Ｂ  分岐ヘッダー
４ｂ  主配管接続ノズル
４ｃ  凸部
４ｄ  ノズル
５  カバープレート
１０  床暖房パネル
１４  温水配管
２２  スリット
【図１】
0005685982.tif 000002
【図２】
0005685982.tif 000003
【図３】
0005685982.tif 000004
【図４】
0005685982.tif 000005
【図５】
0005685982.tif 000006
【図６】
0005685982.tif 000007
【図７】
0005685982.tif 000008
【図８】
0005685982.tif 000009
【図９】
0005685982.tif 000010
【図１０】
0005685982.tif 000011
【図１１】
0005685982.tif 000012
【図１２】
0005685982.tif 000013
【図１３】
0005685982.tif 000014
【図１４】
0005685982.tif 000015
【図１５】
0005685982.tif 000016
【図１６】
0005685982.tif 000017
【図１７】
0005685982.tif 000018
【図１８】
0005685982.tif 000019